【手続補正書】
【提出日】平成29年8月1日(2017.8.1)
【手続補正１】
【補正対象書類名】特許請求の範囲
【補正対象項目名】全文
【補正方法】変更
【補正の内容】
【特許請求の範囲】
【請求項１】
遊技球が流下する遊技領域を形成する合成樹脂製の遊技盤と、
その遊技盤の厚さ方向に貫通形成されると共に前記遊技盤の外周縁の一部が開放される開放部と、
その開放部に配置される構造物と、
前記遊技盤および前記構造物の背面側に配置されると共に前記遊技盤および前記構造物へ光を照射可能な発光部と、を備え、
その発光部により照射される光を前記遊技盤と前記構造物との継ぎ目部分へ進行させることが可能に構成され、
前記構造物は、遊技球の動きに干渉する部材または遊技球が通過する部材もしくは遊技の告知や演出に用いられる部材を備え、
前記遊技盤および前記構造物の少なくとも一部は、透光性を有し前記発光部により照射される光を視認可能に構成されていることを特徴とする遊技機。
【請求項２】
遊技球を発射する遊技球発射装置を備えることを特徴とする請求項１記載の遊技機。
【手続補正２】
【補正対象書類名】明細書
【補正対象項目名】０００２
【補正方法】変更
【補正の内容】
【０００２】
遊技球を使用して遊技を行う遊技機の代表例としてパチンコ機がある。パチンコ機は、遊技盤を有している。
【手続補正３】
【補正対象書類名】明細書
【補正対象項目名】０００３
【補正方法】変更
【補正の内容】
【０００３】
この種の遊技機において、従来の遊技盤は、木製合板（ベニヤ）の表面に絵柄を印刷した合成樹脂製フィルムを貼り付けたものが一般的であった。近年、意匠性やリサイクル性の観点から、合成樹脂製の遊技盤が採用されつつある（例えば特許文献１）。特許文献１に開示される技術では、所定の入賞口（始動入賞口）への入賞をトリガとして図柄表示ユニットによる図柄の変動表示が開始され、その後、所定の変動パターンによる変動表示を経て図柄の変動表示が停止される。停止した図柄が確定した際、その図柄の組み合せが予め設定された所定の組み合せであれば、特別遊技状態（大当たり状態）に移行し多量の遊技球が払い出される。
【手続補正４】
【補正対象書類名】明細書
【補正対象項目名】０００５
【補正方法】変更
【補正の内容】
【０００５】
しかしながら、遊技者の興味を引くためには新たな演出が必要である。
【手続補正５】
【補正対象書類名】明細書
【補正対象項目名】０００６
【補正方法】変更
【補正の内容】
【０００６】
本発明は、上記例示した問題点等を解決するためになされたものであり、演出に寄与する装置等の配置の自由度を向上させ、遊技の興趣を大いに高めることができる遊技機を提供することを目的としている。
【手続補正６】
【補正対象書類名】明細書
【補正対象項目名】０００７
【補正方法】変更
【補正の内容】
【０００７】
この目的を達成するために本発明の遊技機は、遊技球が流下する遊技領域を形成する合成樹脂製の遊技盤と、その遊技盤の厚さ方向に貫通形成されると共に前記遊技盤の外周縁の一部が開放される開放部と、その開放部に配置される構造物と、前記遊技盤および前記構造物の背面側に配置されると共に前記遊技盤および前記構造物へ光を照射可能な発光部と、を備え、その発光部により照射される光を前記遊技盤と前記構造物との継ぎ目部分へ進行させることが可能に構成され、前記構造物は、遊技球の動きに干渉する部材または遊技球が通過する部材もしくは遊技の告知や演出に用いられる部材を備え、前記遊技盤および前記構造物の少なくとも一部は、透光性を有し前記発光部により照射される光を視認可能に構成されている。
【手続補正７】
【補正対象書類名】明細書
【補正対象項目名】００１２
【補正方法】変更
【補正の内容】
【００１２】
本発明によれば、演出に寄与する装置等の配置の自由度を向上させ、遊技の興趣を大いに高めることができる効果がある。
【手続補正８】
【補正対象書類名】明細書
【補正対象項目名】０２０６
【補正方法】変更
【補正の内容】
【０２０６】
遊技機Ｂ５によれば、開口部の周縁の所定部に構造物と連結される連結部を設け、その連結部に照射される光は、光散乱部により散乱する。これにより、遊技機Ｂ４の奏する効果に加え、光散乱部により散乱される光によって遊技盤と構造物との継ぎ目部分（連結部）を視認し難くできると共に、遊技盤と構造物との継ぎ目部分（連結部）の演出効果を向上できる。
＜その他＞
遊技球を使用して遊技を行う遊技機の代表例としてパチンコ機がある。パチンコ機は、前面に遊技領域が形成される遊技盤を有している。遊技領域には遊技球が入球可能な入球部が設けられており、その入球部への入球が発生した場合には、例えば遊技者に有利な特別遊技状態を発生させるか否かの抽選や遊技球の払出し等の特典が、遊技者に対して付与される。
この種の遊技機において、従来の遊技盤は、木製合板（ベニヤ）の表面に絵柄を印刷した合成樹脂製フィルムを貼り付けたものが一般的であった。近年、意匠性やリサイクル性の観点から、合成樹脂製の遊技盤が採用されつつある（例えば特許文献１：特開平１０−１１３４２８号公報（特に図５））。特許文献１に開示される技術では、ハンドルの操作により遊技球が発射され、遊技盤の盤面に配置された遊技球レールによって遊技球が遊技領域まで導かれる。
しかしながら上述したような遊技機では、遊技球が発射されると、遊技球が遊技球レール（案内部）に衝突した後、遊技球レールに沿って進行し、その遊技球のエネルギーによって遊技球レールが外側に拡がるように傾動する。遊技球レール（案内部）が傾動すると、遊技球の軌道が変化したり遊技球の運動エネルギーの損失が生じたりする。その結果、遊技領域へ案内される遊技球の軌道や飛距離が不安定になるという問題が生じ得る。
本技術的思想は、上記例示した問題点等を解決するためになされたものであり、遊技領域へ案内される遊技球の軌道や飛距離を安定させることができる遊技機を提供することを目的としている。
＜手段＞
この目的を達成するために、技術的思想１記載の遊技機は、遊技球を発射する遊技球発射装置と、その遊技球発射装置により発射される遊技球が流下する遊技領域を形成する合成樹脂製の遊技盤と、その遊技盤の盤面に配置され前記遊技球発射装置により発射された遊技球を案内面に沿って前記遊技領域に案内する帯状の案内部とを備えるものにおいて、前記遊技盤の盤面に固定される案内部補強部材を備え、その案内部補強部材は、前記遊技盤の盤面に窪み状に形成された孔部に嵌合する嵌合凸部と、その嵌合凸部の基端側から突設されると共に前記案内部の案内面の反対面側に接触する反対面側突設部とを備えている。
技術的思想２記載の遊技機は、技術的思想１記載の遊技機において、前記嵌合凸部は、外周面の一部が窪み状に形成された凹部を備えている。
技術的思想３記載の遊技機は、技術的思想１又は２に記載の遊技機において、前記凹部は、前記嵌合凸部の先端から基端に向けてすりわり状に形成されている。
技術的思想４記載の遊技機は、技術的思想３記載の遊技機において、前記案内部補強部材は、前記嵌合凸部の軸方向からみた前記凹部のすりわりの方向が、前記案内部の長手方向と非平行に配置されている。
技術的思想５記載の遊技機は、技術的思想１から４のいずれかに記載の遊技機において、前記遊技盤は、前記遊技領域の背面側に位置し盤面に釘が植設される肉厚部と、その肉厚部に連設されると共に前記肉厚部より厚さが小さく設定される肉薄部と、その肉薄部の外周縁から背面側に立設される外周縁補強リブと、前記肉薄部の所定部から背面側に突出して連成される突出部とを備え、前記孔部は、前記肉薄部および前記突出部に貫通形成されている。
＜効果＞
本技術的思想によれば、遊技領域へ案内される遊技球の軌道や飛距離を安定させることができる効果がある。
【手続補正９】
【補正対象書類名】明細書
【補正対象項目名】０２０７
【補正方法】変更
【補正の内容】
【０２０７】
１，２０１，３０１，４０１  パチンコ機（遊技機）
２１                        遊技球発射装置
３０，１３０，２１０        遊技盤
３１                        外レール部（案内部）
３１ｃ                      案内面
５０，８０，９０            案内部補強部材
５２                        反対面側突設部
５５，８５，９５            嵌合凸部
５６，８６，９６            凹部
６９                        孔部
６９ａ                      突出部
７０                        肉厚部
７２                        肉薄部
７３                        外周壁補強リブ
１６１，２１１              開口部（開放部）
１７０，１９０，２２０，２３０，２４０  構造物
１８１                      発光部
ＰＥ                        遊技領域